(57)【要約】【課題】  ユーザーの操作に応じて施設情報を容易に得ることができる電子装置を提供する。【解決手段】  電子装置１０は、タッチ操作によるスクロール操作中に周辺の施設情報を表示する表示プログラム２００を実行する。表示プログラム２００は、施設情報取得部２１０により特定の範囲内に存在する施設情報を取得し、表示施設選択部２２０により、表示すべき施設情報が選択される。表示位置決定部２４０は、選択された施設情報と基準位置の相対的な関係に基づいて表示位置を決定し、施設名称表示部２５０によって決められた表示位置に施設名称が表示される。その後、ピンチアウト操作またはピンチイン操作が検出された場合には、表示された地図画像の縮尺は変更せずに、表示された施設情報を変更する処理を行う。【選択図】  図６
2018045139.tif 000002
【特許請求の範囲】
【請求項１】
地図表示機能を備えた電子装置であって、
ユーザー操作に応答した入力が可能なタッチパネル式の表示手段と、
前記表示手段に地図を表示する地図表示手段と、
前記表示手段に表示される地図の基準位置に基づき前記表示手段の表示範囲外の施設情報を取得する取得手段と、
前記取得手段により取得された施設情報を前記表示手段の特定領域に表示する施設情報表示手段と、
前記表示手段上におけるユーザー操作を検出する検出手段と、
前記検出手段により検出されたユーザー操作に応じて前記取得手段による施設情報の取得範囲を変更する変更手段と、
を有する電子装置。
【請求項２】
前記検出手段は、ピンチアウト操作またはピンチイン操作を検出し、当該ピンチアウト操作またはピンチイン操作に応じて施設情報の取得範囲を変更する、請求項１に記載の電子装置。
【請求項３】
電子装置はさらに、前記取得手段により取得された施設情報を選択する選択手段を含み、前記施設情報表示手段は、前記選択手段により選択された施設情報を表示する、請求項１または２に記載の電子装置。
【請求項４】
前記選択手段は、前記基準位置を中心とする方位の延長線上にある施設を選択する、請求項３に記載の電子装置。
【請求項５】
前記特定領域は、前記基準位置を中心とする方位の領域である、請求項４に記載の電子装置。
【請求項６】
前記特定領域は、前記表示手段の外周領域である、請求項１ないし５いずれか１つに記載の電子装置。
【請求項７】
電子装置はさらに、前記施設表示手段による表示の有無を切替える切替手段を有し、前記切替手段により前記施設表示手段の表示が無しとされた場合には、前記施設表示手段は、前記特定領域に施設情報を表示しない、請求項１ないし６いずれか１つに記載の電子装置。
【発明の詳細な説明】
【技術分野】
【０００１】
本発明は、ナビゲーション装置の表示方法に関し、特に、周辺施設情報の表示に関する。
【背景技術】
【０００２】
ナビゲーション装置は、道路や交差点、様々な施設に関する情報を予め記憶しておき、自車位置周辺の地図画像をディスプレイに表示することができる。また、所望の目的地を入力すれば、当該目的地までの最適な案内経路を算出し、ナビ案内をすることができる。
【０００３】
地図画像をディスプレイに表示する際は、道路や交差点のほか、地図画像には現れていない方面の名称を表示することがある。例えば、矩形のディスプレイに地図画像を表示する際は、中心点を自車位置として、右端、左端、上端、下端に○○県方面、△△県方面、□□県方面、▽▽県方面等の表示がなされる。特許文献１には、各方位に対応した行政区画を地図画像と共に表示し、表示された行政区画を選択することで、行政区画の代表地点を仮の目的地として設定する車載用ナビゲーション装置が開示されている。
【先行技術文献】
【特許文献】
【０００４】
【特許文献１】特開２００２−１２２４３５号公報
【発明の概要】
【発明が解決しようとする課題】
【０００５】
地図画像上でスクロールを行う場合、図１１に示すように、自車を中心とし画面の四方にスクロール先の行政区画や市町村表示を行う機能を有するナビゲーション装置が存在する。しかし、土地勘のない場所等で当該機能を使用しても、利用者は適切な情報提供を得ることができない場合がある。例えば、Ａ駅が○○区に存在する場合、「Ａ駅はどこだろう」と思った利用者は、Ａ駅が○○区にあることを知らなければ、例え「○○区方面」という表示がなされても、Ａ駅を容易に探すことはできない。
【０００６】
本発明は、このような従来の課題を解決するものであり、ユーザーの操作に応じて施設情報を容易に得ることができる電子装置を提供することを目的とする。
【課題を解決するための手段】
【０００７】
本発明に係る電子装置は、地図表示機能を備えた電子装置であって、ユーザー操作に応答した入力が可能なタッチパネル式の表示手段と、前記表示手段に地図を表示する地図表示手段と、前記表示手段に表示される地図の基準位置に基づき前記表示手段の表示範囲外の施設情報を取得する取得手段と、前記取得手段により取得された施設情報を前記表示手段の特定領域に表示する施設情報表示手段と、前記表示手段上におけるユーザー操作を検出する検出手段と、前記検出手段により検出されたユーザー操作に応じて前記取得手段による施設情報の取得範囲を変更する変更手段とを有する。
【０００８】
好ましくは前記検出手段は、ピンチアウト操作またはピンチイン操作を検出し、当該ピンチアウト操作またはピンチイン操作に応じて施設情報の取得範囲を変更する。好ましくは電子装置はさらに、前記取得手段により取得された施設情報を選択する選択手段を含み、前記施設情報表示手段は、前記選択手段により選択された施設情報を表示する。好ましくは前記選択手段は、前記基準位置を中心とする方位の延長線上にある施設を選択する。好ましくは前記特定領域は、前記基準位置を中心とする方位の領域である。好ましくは前記特定領域は、前記表示手段の外周領域である。好ましくは電子装置はさらに、前記施設表示手段による表示の有無を切替える切替手段を有し、前記切替手段により前記施設表示手段の表示が無しとされた場合には、前記施設表示手段は、前記特定領域に施設情報を表示しない。
【発明の効果】
【０００９】
本発明によれば、地図スクロールを行う際の利用者の利便性向上を図ることができる。具体的には、市町村以外の周辺施設も含んだ表示を行うことで利用者への有益な情報の提示が可能となり、さらに、画面外側全てを使用した表示を行うことで周辺情報表示の精度をアップさせることができる。また、スクロール操作中にピンチアウト操作またはピンチイン操作を行うことにより、地図の縮尺を変更せず、利用者の簡単な操作により表示施設を変更することができる。
【図面の簡単な説明】
【００１０】
【図１】本発明の実施例に係る車載装置の構成を示すブロック図である。
【図２】本発明の実施例に係る入力部の操作例を示す図であり、図２（Ａ）は、「ピンチアウト」という操作を示す図であり、図２（Ｂ）は、「ピンチイン」という操作を示す図である。
【図３】他の配信サイトから情報を取得する例を示す図である。
【図４】本発明の実施例に係る表示プログラムの機能的な構成例を示す図である。
【図５】本発明の実施例に係る相対位置算出部および表示位置決定部の動作を具体的に示す図である。
【図６】本発明の実施例に係る施設名称表示部の表示例を示す図である。
【図７】本発明の実施例に係る対象範囲変更部の動作を概念的に示す図である。
【図８】本発明の実施例に係る表示プログラムの動作を示すフロー図である。
【図９】本発明の実施例に係る表示プログラムの動作フローの具体例を示す図である。
【図１０】本発明の実施例に係る表示プログラムの再表示を例示する図である。
【図１１】従来の車載装置の課題を説明する図である。
【発明を実施するための形態】
【００１１】
次に、本発明の実施の形態について、図面を参照して詳細に説明する。本発明の実施の形態に係る電子装置は、自動車等の移動体上に固定的に搭載されるナビゲーション装置等の車載装置、あるいは持ち歩き可能なポータブルタイプのコンピュータ装置、タブレット型のコンピュータ装置であることができる。電子装置はさらに、これ以外の機能として、例えばオーディオ・ビデオデータを再生する機能、テレビ・ラジオ放送を受信する機能、アプリケーションソフトウエアを実行する機能などを統合的に備えるものであってもよい。
【００１２】
また、本発明の実施の形態に係る電子装置は、タッチパネル機能を備えたディスプレイを有する。地図表示機能によって、ディスプレイに地図画像が表示されているときに地図上の所望の地点をタッチすると、地図画像がスクロールされ、タッチされた地点をディスプレイの中心に合わせた地図画像に切り替えることができる。
【実施例】
【００１３】
図１は、本発明の実施例に係る車載装置の構成を示すブロック図である。車載装置１０は、一例として、入力部１００、位置情報算出部１１０、ナビゲーション部１２０、表示部１３０、音声出力部１４０、通信部１５０、記憶部１６０、および制御部１７０を含んで構成される。
【００１４】
入力部１００は、入力キーデバイス、音声入力認識装置、タッチパネルなどにより、ユーザーからの指示を受け取り、これを制御部１７０へ提供する。好ましくは、本実施例に係る入力部１００は、タッチパネルを用いるものであり、いくつかのタッチパネルの操作態様によって、様々な入力操作を行うことができる。図２は、本発明の実施例に係る入力部の操作例を示す図であり、図２（Ａ）は、「ピンチアウト」という操作を示し、図２（Ｂ）は、「ピンチイン」という操作を示す。ピンチアウトは、利用者の指Ｆ１およびＦ２を、タッチパネル機能を備えた表示部１３０に接触させ、任意の地点Ｐから指Ｆ１およびＦ２を離すようにする操作である。ピンチインは、利用者の指Ｆ１およびＦ２が離れた状態でタッチパネル機能を備えた表示部１３０に接触させ、任意の地点Ｐに向かって指Ｆ１およびＦ２を閉じるようにする操作である。以下、ピンチアウト操作およびピンチイン操作をピンチ操作と呼ぶことがある。従来のナビゲーション装置では、ピンチアウトやピンチイン操作により、表示された地図画像の表示領域を変更したり、縮尺を変更したりすることができる。なお、指Ｆ１およびＦ２は、特に限定されないが、好ましくは、人差し指と親指である。
【００１５】
位置情報算出部１１０は、ＧＰＳ衛星から送信されるＧＰＳ信号、ジャイロセンサ等のセンサからの出力に基づき自車の現在地を算出する。ナビゲーション部１２０は、例えば、位置情報算出部１１０によって算出された現在地から目的地までの案内経路を算出し、算出された案内経路の音声案内を音声出力部１４０から出力したり、自車位置周辺の道路地図を表示部１３０に表示させたりする。ナビゲーション部１２０に用いられる目的地は、例えば、入力部１００からユーザー操作によって入力される。
【００１６】
表示部１３０は、液晶ディスプレイや有機ＥＬ等の表示装置を含み、例えば、ナビゲーション部１２０によって生成された道路地図の画像を表示したり、ユーザー設定を行うための設定画面やメニュー画面を表示したりする。表示部１３０には、タッチパネル機能が備わっている。音声出力部１４０は、ナビゲーション部１２０によって算出された経路を案内する音声案内を出力したり、運転者に対して運転支援情報の音声案内を行ったりする。
【００１７】
通信部１５０は、種々の外部装置との間でデータの送受を可能にする。通信部１５０は、例えば、図３に示すように、ネットワークＮＷを介して、位置情報配信サイト１５２にアクセスし、そこから自車位置情報を取得したり、地図データ配信サイト１５４にアクセスし、そこから必要な地図データを取得したり、道路交通情報配信サイト１５６にアクセスし、そこから道路交通情報に関する詳細な情報を取得することができる。位置情報配信サイト１５２から得られる自車位置情報は、位置情報算出部１１０によって算出される自車位置情報の代わりに用いることができる。また、地図データ配信サイト１５４を利用することで、車載装置１０は、記憶部１６０に必要最低限の地図データを記憶するようにしてもよい。
【００１８】
記憶部１６０は、制御部１７０が実行するアプリケーションソフトウエアやプログラム、ナビゲーション部１２０が必要とする地図データ等を記憶することができる。地図データは、交差点等を示すノードデータ、ノード間の道路を示すリンクデータ等、ナビゲーション部の動作に必要な情報を含むことができる。また、表示部１３０に地図画像を表示する際に必要な施設情報を含む。当該施設情報には、施設名称、施設の位置、施設のカテゴリー情報等が含まれる。
【００１９】
制御部１７０は、好ましい態様では、ＲＯＭ、ＲＡＭなどを含むマイクロコントローラ等から構成され、ＲＯＭまたはＲＡＭは、車載装置１０の各部の動作を制御するための種々のプログラムを格納することができる。本実施例では、制御部１７０は、任意の地点を基準とした各方位に存在する施設情報を地図画像と共に表示する表示プログラム２００を実行する。
【００２０】
図４は、本発明の実施例に係る表示プログラムの機能的な構成例を示す図である。本実施例に係る表示プログラム２００は、施設情報取得部２１０、表示施設選択部２２０、相対位置算出部２３０、表示位置決定部２４０、施設名称表示部２５０、ピンチ操作検出部２６０、対象範囲変更部２７０を含んで構成される。
【００２１】
施設情報取得部２１０は、記憶部１６０に記憶されている特定の範囲の施設情報を取得する。「特定の範囲」とは、特に限定されないが、例えば、スクロールにより地図表示を切り替える際にタッチされた任意の地点や位置情報算出部１１０によって算出された自車位置（以下、任意の地点および自車位置を基準位置と呼ぶことがある）を中心とした半径数ｋｍから数十ｋｍの範囲とすることができる。当該半径は、設定情報として予め記憶部１６０に記憶しておくことができ、後述する対象範囲変更部２７０によって、随時、変更することが可能である。
【００２２】
表示施設選択部２２０は、施設情報取得部２１０によって取得された施設情報の中から、表示部１３０に表示する施設情報を選択する。施設の選択方法は、特に限定されないが、例えば、基準位置を中心として東西南北の４方向からそれぞれ１つずつ施設を選択する方法、基準位置から近い順または遠い順に複数個の施設を選択する方法、施設情報に予め優先順位情報を持たせて置き当該優先順位が高い順に複数個の施設を選択する方法、利用者の所望のカテゴリーを予め設定しておき当該設定されたカテゴリーと同一カテゴリーの施設を選択する方法、施設の敷地が大きい順に選択する方法などがある。また、インターネット等の検索履歴情報を有する携帯端末と電子装置１０が接続されている場合には、当該検索履歴情報を携帯端末から取得し、利用者の好みにあった表示対象を選択するようにしても良い。なお、表示施設選択部２２０は、好ましくは、上記に例示した選択方法を用い、かつ、表示部１３０に表示されていない施設を選択する。
【００２３】
相対位置算出部２３０は、基準位置と、表示施設選択部２２０によって選択された施設の相対的な位置を算出する。図５は、本発明の実施例に係る相対位置算出部および表示位置決定部の動作を具体的に示す図である。相対位置算出部２３０は、基準位置Ｑの二次元座標（Ｘ０，Ｙ０）を基準とし、選択された施設の位置を二次元的に配置する。例えば、図５で示せば、選択された施設Ｚ１、Ｚ２、Ｚ３、Ｚ４を、それぞれの位置座標（Ｘ１，Ｙ１）、（Ｘ２，Ｙ２）、（Ｘ３，Ｙ３）、（Ｘ４，Ｙ４）に基づいて配置する。
【００２４】
表示位置決定部２４０は、相対位置算出部２３０により配置された情報に基づき、各施設の表示部１３０における表示位置を決定する。図５に示す表示領域は、表示部１３０に表示される地図の領域であり、内領域は、表示領域より幾分小さい仮想的な領域であり、表示領域と内領域の間の領域を外周表示領域とし、表示位置決定部２４０は、四方の外周である外周表示領域内に表示位置を決定する。例えば、基準位置Ｑから各施設に対して直線Ｌ１、Ｌ２、Ｌ３、Ｌ４を規定すれば、Ｚ１の表示位置は位置１、Ｚ２の表示位置は位置２、Ｚ３の表示位置は位置３、Ｚ４の表示位置は位置４に決定される。
【００２５】
施設名称表示部２５０は、表示位置決定部２４０に施設の名称を表示する。図６は、本発明の実施例に係る施設名称表示部の表示例を示す図である。施設名称表示部２５０は、表示位置決定部２４０により決定された位置１、位置２、位置３、位置４に、それぞれ、施設名称Ｚ１、Ｚ２、Ｚ３、Ｚ４を表示する。
【００２６】
ピンチ操作検出部２６０は、入力部１００からの入力に基づいてピンチアウト操作またはピンチイン操作を検出する。対象範囲変更部２７０は、施設情報取得部２１０が施設情報を取得する際の「特定の範囲」を変更する。例えば、ピンチ操作検出部２６０によってピンチアウト操作が検出された場合には、範囲が狭くなるように特定の範囲を変更し、ピンチイン操作が検出された場合、範囲が広くなるように特定の範囲を変更することができる。なお、本実施例においては、ピンチアウト操作は狭域操作に、ピンチイン操作は広域操作に対応させているが、ピンチアウト操作は広域操作に、ピンチイン操作は狭域操作に対応させるようにしても良い。
【００２７】
図７は、本発明の実施例に係る対象範囲変更部の動作を概念的に示す図である。例えば、施設情報取得部２１０の特定の範囲が基準位置Ｑを中心とした半径５０ｋｍの範囲である場合、施設情報取得部２１０は、Ｚ１ないしＺ６の施設情報を取得する。ここで、ピンチ操作検出部２６０によりピンチアウト操作が検出されると、特定の範囲は半径１０ｋｍになり、施設情報取得部２１０が取得できる施設情報は、Ｚ５およびＺ６のみになる。一方、ピンチイン操作が検出されると、特定の範囲は半径１００ｋｍとなり、施設情報取得部２１０が取得できる施設情報は、Ｚ１ないしＺ６に加え、Ｚ７、Ｚ８、Ｚ９も取得可能になる。
【００２８】
図８は、本発明の実施例に係る表示プログラムの動作を示すフロー図である。本実施例に係る表示プログラム２００は、まず、施設情報取得部２１０によって施設情報を取得する（Ｓ１００）。なお、初回の施設情報の取得は、予め設定された特定の範囲内にある施設情報を取得する。次に、表示施設選択部２２０は、Ｓ１００で取得した施設情報の中から、１または複数の施設を選択する（Ｓ１０２）。相対位置算出部２３０は、Ｓ１０２で選択された施設と、基準位置との相対位置を算出する（Ｓ１０４）。表示位置決定部２４０は、図５に示した方法により表示位置を決定し（Ｓ１０６）、施設名称表示部２５０は、Ｓ１０６で決定された表示位置に、対応する施設名称を表示する（Ｓ１０８）。
【００２９】
ここで、ピンチ操作検出部２６０によってピンチ操作が検出されず（Ｓ１１０）、電子装置１０の電源が切れる、利用者の操作により地図表示画面が消される、利用者の操作により地図表示画面から他の画面に切り替わる、設定等の変更により地図上に施設表示がされなくなる等の終了動作が行われ、施設表示が不要となった場合には、施設情報表示を終了、すなわち、外周表示領域の施設情報の表示を終了する（Ｓ１１４）。一方で、終了動作が行われずに、ピンチ操作検出部２６０によってピンチアウト操作またはピンチイン操作が検出された場合には（Ｓ１１０）、対象範囲変更部２７０により、施設情報の取得範囲が操作態様に応じて変更される（Ｓ１１２）。取得範囲が変更された後は、Ｓ１００に処理が戻り、Ｓ１００からＳ１０８の処理が実行されて、再度、Ｓ１０２で選択された施設の施設名称が表示される。
【００３０】
次に、図８の動作フローを具体的な例を図７および図９を用いて説明する。図９は、本発明の実施例に係る表示プログラムの動作フローの具体例を示す図である。例えば、従来の地図表示機能を用いて図９（Ａ）に示すように、地図画像および現在地の表示がなされているとする。ここで、利用者が表示部１３０の任意の地点（基準位置Ｑ）をタッチすると、従来のナビゲーション装置でも行われているように、基準位置Ｑを中心とした地図画像にスクロールされる。このとき、表示プログラム２００が実行され、Ｓ１００からＳ１０８の処理により、図９（Ｂ）に示すような施設情報が表示される。なお、図９（Ｂ）に示す施設情報は、基準位置Ｑから半径５０ｋｍ内の施設情報を対象とした表示である。
【００３１】
次に、利用者が、図９（Ｂ）に示すような状態でピンチイン操作を行うと（Ｓ１１０）、広域方向に対象範囲の変更が実行され（Ｓ１１２）、図９（Ｃ）に示すような基準位置Ｑから半径１００ｋｍ内の施設情報を対象とした施設情報の表示がなされる（Ｓ１００からＳ１０８）。一方で、利用者が、図９（Ｂ）に示すような状態でピンチアウト操作を行うと（Ｓ１１０）、狭域方向に対象範囲の変更が実行され（Ｓ１１２）、図９（Ｄ）に示すような基準位置Ｑから半径１０ｋｍ内の施設情報を対象とした施設情報の表示がなされる（Ｓ１００からＳ１０８）。図９（Ｂ）から図９（Ｃ）または図９（Ｄ）への変化でも示されているように、表示プログラム２００により変更されるのは、外周表示領域に示された施設情報等の表示情報であり、地図画像の縮尺等は変更されない。
【００３２】
また、他の操作態様として、図９（Ｂ）に示す状態で利用者がさらに地図画像をスクロールさせる場合も考えられる。例えば、利用者が、図９（Ｂ）に示すような状態で異なる任意の地点Ｑ１をタッチした場合である。このような場合、表示プログラム２００は、任意の地点Ｑ１を基準位置として再度実行され、Ｓ１００からＳ１０８の処理により、図１０に示すような施設情報の表示がなされる。図１０に示す状態でピンチイン操作またはピンチアウト操作がなされた場合は、Ｑ１を基準位置とした対象範囲の変更（Ｓ１１２）がなされる。
【００３３】
本実施例では、外周表示領域内に施設情報を表示する例を示したが、表示する情報は施設情報に限定されず、道路交通情報等の他の情報であっても良い。また、図６に示すように、タッチ操作可能な施設表示と市町村表示の切り替えボタンＢを表示部１３０に表示し、当該ボタンを操作することにより、本実施例で示した表示プログラム２００による施設情報の表示と従来のナビゲーション装置（特許文献１等参照）で行われていた市区町村の表示を切り替えるようにしても良い。
【００３４】
本実施例では、ピンチアウト操作またはピンチイン操作により対象とする施設の範囲を変更できるようにしているため（図７参照）、例えば、表示部１３０に、どこまでの施設を対象として施設情報を表示しているかを表示するようにしても良い。具体的には、基準位置から半径５０ｋｍ内の施設情報を表示している場合には、表示部１３０のいずれかに「５０ｋｍ内の施設情報を表示」等の表示を行う。
【００３５】
本実施例では、ピンチアウト操作およびピンチイン操作を対象範囲変更部２７０の動作に対応させている。しかし、従来のナビゲーション装置におけるピンチアウト操作およびピンチイン操作は、主に、表示された地図画像の表示縮尺の変更に使われていることが多い。従って、予め施設情報の表示を行うか否かの設定を利用者に選択させ、施設情報の表示を行う設定がなされている場合に本実施例で示した表示プログラム２００を実行するようにしても良い。また、当該設定の切り替えボタンを表示部１３０に表示し、ピンチアウト操作およびピンチイン操作の動作対応を、本実施例のように施設情報の表示変更のみを行うか、従来の縮尺変更を行うかを切り替えられるようにしても良い。
【００３６】
本実施例では、記憶部１６０から特定の範囲内の施設情報を取得しているが、より詳細な条件付けにより、施設情報を取得するようにしても良い。例えば、施設情報の中に「詳細／広域」を関連付けて記憶することにより、詳細表示（基準位置から半径５０ｋｍ以内の表示）を行っている場合に取得されるべき施設情報、広域表示（基準位置から半径５０ｋｍを超えた表示）を行っている場合に取得されるべき施設情報に区分けすることができる。図７で示すと、例えば、特定の範囲が半径５０ｋｍに設定されている場合、Ｚ１ないしＺ６の施設情報が取得されうる。このとき、Ｚ１の施設情報が「広域表示」対応となっている場合には、Ｚ１の施設情報が取得されず、Ｚ２ないしＺ６の施設情報が取得される。一方で、特定の範囲が半径１００ｋｍに変更された場合には、「広域表示」対応のＺ１の施設情報が取得される。
【００３７】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００３８】
１０：車載装置                          １００：入力部
１１０：位置情報算出部                    １２０：ナビゲーション部
１３０：表示部                            １４０：音声出力部
１５０：通信部                            １５２：位置情報配信サイト
１５４：地図データ配信サイト              １５６：道路交通情報配信サイト
１６０：記憶部                            １７０：制御部
２００：表示プログラム                    ２１０：施設情報取得部
２２０：表示施設選択部                    ２３０：相対位置算出部
２４０：表示位置決定部                    ２５０：施設名称表示部
２６０：ピンチ操作検出部                  ２７０：対象範囲変更部
ＮＷ：ネットワーク                    Ｑ、Ｑ１：基準位置
【図１】
2018045139.tif 000003
【図２】
2018045139.tif 000004
【図３】
2018045139.tif 000005
【図４】
2018045139.tif 000006
【図５】
2018045139.tif 000007
【図６】
2018045139.tif 000008
【図７】
2018045139.tif 000009
【図８】
2018045139.tif 000010
【図９】
2018045139.tif 000011
【図１０】
2018045139.tif 000012
【図１１】
2018045139.tif 000013